(57)【特許請求の範囲】
【請求項１】
タッチパネルと、
前記タッチパネルに対する指示入力に従って画像処理を行なうための処理部とを備え、
前記処理部は、
前記タッチパネルに処理対象の原稿画像をプレビュー表示する表示処理と、
前記タッチパネル上での、前記プレビュー表示された前記原稿画像を分割する操作を受け付けると、前記プレビュー表示された前記原稿画像上での前記操作の位置に応じて、前記原稿画像を分割する処理を含んだ処理モードを設定するための設定処理と、
前記設定された処理モードで前記原稿画像に応じた画像データーの画像形成処理とを実行し、
前記処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有し、
前記設定処理において、前記処理部は、前記タッチパネル上での、前記プレビュー表示された前記原稿画像を分割する操作を受け付けると、前記原稿画像を前記操作に従ってブック分割モードで処理した場合の画像形成処理結果と、拡大連写モードで処理した場合の画像形成処理結果とを前記タッチパネルにプレビュー表示し、その選択を受け付けることで、いずれかのモードを前記処理モードとして設定する、画像形成装置。
【請求項２】
前記プレビュー表示された前記原稿画像上の、画像がしきい値より少なく含まれている領域に対して前記操作がなされた場合、前記処理部は、前記設定処理において、１ページ分の原稿画像を分割して分割後の原稿画像のそれぞれを１ページとして画像形成する処理モードであるブック分割モードを設定する、請求項１に記載の画像形成装置。
【請求項３】
タッチパネルと、
前記タッチパネルに対する指示入力に従って画像処理を行なうための処理部とを備え、
前記処理部は、
前記タッチパネルに処理対象の原稿画像をプレビュー表示する表示処理と、
前記タッチパネル上での、前記プレビュー表示された前記原稿画像を分割する操作を受け付けると、前記プレビュー表示された前記原稿画像上での前記操作の位置に応じて、前記原稿画像を分割する処理を含んだ処理モードを設定するための設定処理と、
前記設定された処理モードで前記原稿画像に応じた画像データーの画像形成処理とを実行し、
前記処理部は、前記設定処理において、前記プレビュー表示された前記原稿画像上の、画像がしきい値より少なく含まれている領域に対して前記操作がなされた場合であって、かつ、前記操作によって分割された前記原稿画像の２つの領域の面積比が規定された値より小さい場合に、１ページ分の原稿画像を分割して分割後の原稿画像のそれぞれを１ページとして画像形成する処理モードであるブック分割モードを設定する、画像形成装置。
【請求項４】
タッチパネルと、
前記タッチパネルに対する指示入力に従って画像処理を行なうための処理部とを備え、
前記処理部は、
前記タッチパネルに処理対象の原稿画像をプレビュー表示する表示処理と、
前記タッチパネル上での、前記プレビュー表示された前記原稿画像を分割する操作を受け付けると、前記プレビュー表示された前記原稿画像上での前記操作の位置に応じて、前記原稿画像を分割する処理を含んだ処理モードを設定するための設定処理と、
前記設定された処理モードで前記原稿画像に応じた画像データーの画像形成処理とを実行し、
前記プレビュー表示された前記原稿画像上の、画像がしきい値より少なく含まれている領域に対して前記操作がなされた場合、前記処理部は、前記設定処理において、１ページ分の原稿画像を分割して分割後の原稿画像のそれぞれを１ページとして画像形成する処理モードであるブック分割モードを設定し、さらに、前記操作によって分割された前記原稿画像の２つの領域の面積比に応じて、前記分割後の原稿画像のそれぞれの倍率を決定する、画像形成装置。
【請求項５】
前記処理部は、前記設定処理において、前記分割後の原稿画像のそれぞれが、前記原稿画像のサイズから規定される画像形成後の画像サイズに応じたサイズとなるように、前記分割後の原稿画像のそれぞれの倍率を決定する、請求項４に記載の画像形成装置。
【請求項６】
前記プレビュー表示された前記原稿画像上の、画像がしきい値以上含まれている領域に対して前記操作がなされた場合、前記処理部は、前記設定処理において、原稿画像を分割して分割後の原稿画像を拡大してそれぞれを複数枚のページに分割して画像形成する処理モードである拡大連写モードを設定する、請求項１〜５のいずれかに記載の画像形成装置。
【請求項７】
前記処理部は、前記操作によって前記原稿画像を分割するラインが曲線であった場合、前記処理モードが設定されない旨を警告する処理をさらに実行する、請求項１〜６のいずれかに記載の画像形成装置。
【請求項８】
前記処理部は、前記操作によって前記原稿画像を分割するラインが前記プレビュー表示された原稿画像の主走査方向に対しても副走査方向に対しても垂直でない場合、前記処理モードが設定されない旨を警告する処理をさらに実行する、請求項１〜７のいずれかに記載の画像形成装置。
【請求項９】
タッチパネルを有する画像形成装置における処理方法であって、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを備え、
前記画像形成装置は、前記処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有し、
前記設定するステップは、前記タッチパネル上での、前記プレビュー表示された前記原稿画像を分割する操作を受け付けると、前記原稿画像を前記操作に従ってブック分割モードで処理した場合の画像形成処理結果と、拡大連写モードで処理した場合の画像形成処理結果とを前記タッチパネルにプレビュー表示し、その選択を受け付けることで、いずれかのモードを前記処理モードとして設定することを含む、画像処理方法。
【請求項１０】
タッチパネルを有する画像形成装置における処理方法であって、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを備え、
前記設定するステップは、前記プレビュー表示された前記原稿画像上の、画像がしきい値より少なく含まれている領域に対して前記操作がなされた場合であって、かつ、前記操作によって分割された前記原稿画像の２つの領域の面積比が規定された値より小さい場合に、１ページ分の原稿画像を分割して分割後の原稿画像のそれぞれを１ページとして画像形成する処理モードであるブック分割モードを設定することを含む、画像処理方法。
【請求項１１】
タッチパネルを有する画像形成装置における処理方法であって、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを備え、
前記設定するステップは、前記プレビュー表示された前記原稿画像上の、画像がしきい値より少なく含まれている領域に対して前記操作がなされた場合、１ページ分の原稿画像を分割して分割後の原稿画像のそれぞれを１ページとして画像形成する処理モードであるブック分割モードを設定し、さらに、前記操作によって分割された前記原稿画像の２つの領域の面積比に応じて、前記分割後の原稿画像のそれぞれの倍率を決定することを含む、画像処理方法。
【請求項１２】
タッチパネルを有する画像形成装置に含まれるコンピューターの制御プログラムであって、
前記制御プログラムは前記コンピューターに、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを実行させ、
前記画像形成装置は、前記処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有し、
前記設定するステップは、前記タッチパネル上での、前記プレビュー表示された前記原稿画像を分割する操作を受け付けると、前記原稿画像を前記操作に従ってブック分割モードで処理した場合の画像形成処理結果と、拡大連写モードで処理した場合の画像形成処理結果とを前記タッチパネルにプレビュー表示し、その選択を受け付けることで、いずれかのモードを前記処理モードとして設定することを含む、制御プログラム。
【請求項１３】
タッチパネルを有する画像形成装置に含まれるコンピューターの制御プログラムであって、
前記制御プログラムは前記コンピューターに、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを実行させ、
前記設定するステップは、前記プレビュー表示された前記原稿画像上の、画像がしきい値より少なく含まれている領域に対して前記操作がなされた場合であって、かつ、前記操作によって分割された前記原稿画像の２つの領域の面積比が規定された値より小さい場合に、１ページ分の原稿画像を分割して分割後の原稿画像のそれぞれを１ページとして画像形成する処理モードであるブック分割モードを設定することを含む、制御プログラム。
【請求項１４】
タッチパネルを有する画像形成装置に含まれるコンピューターの制御プログラムであって、
前記制御プログラムは前記コンピューターに、
前記タッチパネルに処理対象の原稿画像をプレビュー表示するステップと、
前記タッチパネル上での、前記プレビュー表示された前記原稿画像を分割する操作を受け付けるステップと、
前記プレビュー表示された前記原稿画像上での前記操作の位置に応じて、前記原稿画像を分割する処理を含んだ処理モードを設定するステップと、
前記設定された処理モードで前記原稿画像に応じた画像データーの画像形成処理を実行するステップとを実行させ、
前記設定するステップは、前記プレビュー表示された前記原稿画像上の、画像がしきい値より少なく含まれている領域に対して前記操作がなされた場合、１ページ分の原稿画像を分割して分割後の原稿画像のそれぞれを１ページとして画像形成する処理モードであるブック分割モードを設定し、さらに、前記操作によって分割された前記原稿画像の２つの領域の面積比に応じて、前記分割後の原稿画像のそれぞれの倍率を決定することを含む、制御プログラム。
【発明の詳細な説明】
【技術分野】
【０００１】
この開示は画像形成装置、画像処理方法、および制御プログラムに関し、特に、操作パネルを有する画像形成装置、該画像形成装置における画像処理方法、および該画像形成装置の制御プログラムに関する。
【背景技術】
【０００２】
たとえば特開２００６−２４７８７３号公報（特許文献１）は、読み込んだ原稿のプレビュー画像をタッチパネルに表示し、２ページの原稿のプレビュー画像を水平方向に繋ぐようにタッチパネル上のタッチを受け付けると該２ページを見開きページとして印刷し、２ページの原稿のプレビュー画像の間を垂直方向に分離するようにタッチパネル上のタッチを受け付ける該２ページを一枚の用紙の表裏に配置して印刷する技術を開示している。  
【０００３】
また、特開２０１０−０４１０６３号公報（特許文献２）は、プレビュー画面上から、パンチやステーブル等の後処理の設定変更や新規設定を容易に行なうことのできる画像形成装置を開示している。
【０００４】
また、特開２００７−２８０３６９号公報（特許文献３）は、プレビューされた読込画像上をユーザーが操作することによって該読込画像に対する加工条件を設定可能とし、該設定に連動して該加工条件が施された結果を表示部に表示することで、間の感覚に近い操作性を可能とする画像処理装置を開示している。
【０００５】
ここで、「ブック分割（２ｉｎ１分割）」を従来のキー操作で設定することは、操作ステップが多く煩雑であった。
【０００６】
そこで、この設定に上述のような技術を採用すると、ステーブルやパンチと同じように、処置がされる（決定できる）場所（位置）を指定する（たとえば、端や中央を指定する）ことで「ブック分割（２ｉｎ１）分割」設定を行なうことが考えられる。
【先行技術文献】
【特許文献】
【０００７】
【特許文献１】特開２００６−２４７８７３号公報
【特許文献２】特開２０１０−０４１０６３号公報
【特許文献３】特開２００７−２８０３６９号公報
【発明の概要】
【発明が解決しようとする課題】
【０００８】
しかしながら、２ｉｎ１分割の場合は、画像の中央付近を操作することとなる。そのため、画像中央を指定してしまうと、センターステーブルのモード設定と同じとなってしまう。その結果、出力結果がユーザーのイメージどおりとならない課題があった。
【０００９】
本開示のある局面における目的は、直感的で容易な操作でモード設定を行なうことができる画像形成装置および画像処理方法ならびに該画像形成装置の制御プログラムを提供することである。
【課題を解決するための手段】
【００１０】
ある実施の形態に従うと、画像形成装置は、タッチパネルと、タッチパネルに対する指示入力に従って画像処理を行なうための処理部とを備える。処理部は、タッチパネルに処理対象の原稿画像をプレビュー表示する表示処理と、タッチパネル上での、プレビュー表示された原稿画像を分割する操作を受け付けると、プレビュー表示された原稿画像上での操作の位置に応じて、原稿画像を分割する処理を含んだ処理モードを設定するための設定処理と、設定された処理モードで原稿画像に応じた画像データーの画像形成処理とを実行する。画像形成装置は、処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有する。設定処理において、処理部は、タッチパネル上での、プレビュー表示された原稿画像を分割する操作を受け付けると、原稿画像を上記操作に従ってブック分割モードで処理した場合の画像形成処理結果と、拡大連写モードで処理した場合の画像形成処理結果とをタッチパネルにプレビュー表示し、その選択を受け付けることで、いずれかのモードを処理モードとして設定する。
【００１１】
好ましくは、プレビュー表示された原稿画像上の、画像がしきい値より少なく含まれている領域に対して上記操作がなされた場合、処理部は、設定処理において、１ページ分の原稿画像を分割して分割後の原稿画像のそれぞれを１ページとして画像形成する処理モードであるブック分割モードを設定する。
他の実施の形態に従うと、画像形成装置は、タッチパネルと、タッチパネルに対する指示入力に従って画像処理を行なうための処理部とを備える。処理部は、タッチパネルに処理対象の原稿画像をプレビュー表示する表示処理と、タッチパネル上での、プレビュー表示された原稿画像を分割する操作を受け付けると、プレビュー表示された原稿画像上での上記操作の位置に応じて、原稿画像を分割する処理を含んだ処理モードを設定するための設定処理と、設定された処理モードで原稿画像に応じた画像データーの画像形成処理とを実行する。処理部は、設定処理において、プレビュー表示された原稿画像上の、画像がしきい値より少なく含まれている領域に対して上記操作がなされた場合であって、かつ、上記操作によって分割された原稿画像の２つの領域の面積比が規定された値より小さい場合に、１ページ分の原稿画像を分割して分割後の原稿画像のそれぞれを１ページとして画像形成する処理モードであるブック分割モードを設定する。
他の実施の形態に従うと、画像形成装置は、タッチパネルと、タッチパネルに対する指示入力に従って画像処理を行なうための処理部とを備える。処理部は、タッチパネルに処理対象の原稿画像をプレビュー表示する表示処理と、タッチパネル上での、プレビュー表示された原稿画像を分割する操作を受け付けると、プレビュー表示された原稿画像上での上記操作の位置に応じて、原稿画像を分割する処理を含んだ処理モードを設定するための設定処理と、設定された処理モードで原稿画像に応じた画像データーの画像形成処理とを実行する。プレビュー表示された原稿画像上の、画像がしきい値より少なく含まれている領域に対して上記操作がなされた場合、処理部は、設定処理において、１ページ分の原稿画像を分割して分割後の原稿画像のそれぞれを１ページとして画像形成する処理モードであるブック分割モードを設定し、さらに、上記操作によって分割された原稿画像の２つの領域の面積比に応じて、分割後の原稿画像のそれぞれの倍率を決定する。
好ましくは、処理部は、設定処理において、分割後の原稿画像のそれぞれが、原稿画像のサイズから規定される画像形成後の画像サイズに応じたサイズとなるように、分割後の原稿画像のそれぞれの倍率を決定する。
【００１２】
好ましくは、プレビュー表示された原稿画像上の、画像がしきい値以上含まれている領域に対して上記操作がなされた場合、処理部は、設定処理において、原稿画像を分割して分割後の原稿画像を拡大してそれぞれを複数枚のページに分割して画像形成する処理モードである拡大連写モードを設定する。
【００１４】
好ましくは、処理部は、上記操作によって原稿画像を分割するラインが曲線であった場合、処理モードが設定されない旨を警告する処理をさらに実行する。
【００１５】
好ましくは、処理部は、上記操作によって原稿画像を分割するラインがプレビュー表示された原稿画像の主走査方向に対しても副走査方向に対しても垂直でない場合、処理モードが設定されない旨を警告する処理をさらに実行する。
【００１９】
他の実施の形態に従うと、画像処理方法はタッチパネルを有する画像形成装置における処理方法であって、タッチパネルに処理対象の原稿画像をプレビュー表示するステップと、タッチパネル上での、プレビュー表示された原稿画像を分割する操作を受け付けるステップと、プレビュー表示された原稿画像上での操作の位置に応じて、原稿画像を分割する処理を含んだ処理モードを設定するステップと、設定された処理モードで原稿画像に応じた画像データーの画像形成処理を実行するステップとを備える。画像形成装置は、処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有する。設定するステップは、タッチパネル上での、プレビュー表示された原稿画像を分割する操作を受け付けると、原稿画像を上記操作に従ってブック分割モードで処理した場合の画像形成処理結果と、拡大連写モードで処理した場合の画像形成処理結果とをタッチパネルにプレビュー表示し、その選択を受け付けることで、いずれかのモードを処理モードとして設定することを含む。
他の実施の形態に従うと、画像処理方法はタッチパネルを有する画像形成装置における処理方法であって、タッチパネルに処理対象の原稿画像をプレビュー表示するステップと、タッチパネル上での、プレビュー表示された原稿画像を分割する操作を受け付けるステップと、プレビュー表示された原稿画像上での上記操作の位置に応じて、原稿画像を分割する処理を含んだ処理モードを設定するステップと、設定された処理モードで原稿画像に応じた画像データーの画像形成処理を実行するステップとを備える。設定するステップは、プレビュー表示された原稿画像上の、画像がしきい値より少なく含まれている領域に対して上記操作がなされた場合であって、かつ、上記操作によって分割された原稿画像の２つの領域の面積比が規定された値より小さい場合に、１ページ分の原稿画像を分割して分割後の原稿画像のそれぞれを１ページとして画像形成する処理モードであるブック分割モードを設定することを含む。
他の実施の形態に従うと、画像処理方法はタッチパネルを有する画像形成装置における処理方法であって、タッチパネルに処理対象の原稿画像をプレビュー表示するステップと、タッチパネル上での、プレビュー表示された原稿画像を分割する操作を受け付けるステップと、プレビュー表示された原稿画像上での操作の位置に応じて、原稿画像を分割する処理を含んだ処理モードを設定するステップと、設定された処理モードで原稿画像に応じた画像データーの画像形成処理を実行するステップとを備える。設定するステップは、プレビュー表示された原稿画像上の、画像がしきい値より少なく含まれている領域に対して上記操作がなされた場合、１ページ分の原稿画像を分割して分割後の原稿画像のそれぞれを１ページとして画像形成する処理モードであるブック分割モードを設定し、さらに、上記操作によって分割された原稿画像の２つの領域の面積比に応じて、分割後の原稿画像のそれぞれの倍率を決定することを含む。
他の実施の形態に従うと、制御プログラムはタッチパネルを有する画像形成装置に含まれるコンピューターの制御プログラムである。この制御プログラムはコンピューターに、タッチパネルに処理対象の原稿画像をプレビュー表示するステップと、タッチパネル上での、プレビュー表示された原稿画像を分割する操作を受け付けるステップと、プレビュー表示された原稿画像上での上記操作の位置に応じて、原稿画像を分割する処理を含んだ処理モードを設定するステップと、設定された処理モードで原稿画像に応じた画像データーの画像形成処理を実行するステップとを実行させる。画像形成装置は、処理モードとして、１ページ分の原稿画像を分割して分割後の原稿画像のそれぞれを１ページとして画像形成する処理モードであるブック分割モードと、原稿画像を分割して分割後の原稿画像を拡大してそれぞれを複数枚のページに分割して画像形成する処理モードである拡大連写モードとを有する。設定するステップは、タッチパネル上での、プレビュー表示された原稿画像を分割する操作を受け付けると、原稿画像を上記操作に従ってブック分割モードで処理した場合の画像形成処理結果と、拡大連写モードで処理した場合の画像形成処理結果とをタッチパネルにプレビュー表示し、その選択を受け付けることで、いずれかのモードを処理モードとして設定することを含む。
他の実施の形態に従うと、制御プログラムはタッチパネルを有する画像形成装置に含まれるコンピューターの制御プログラムである。この制御プログラムはコンピューターに、タッチパネルに処理対象の原稿画像をプレビュー表示するステップと、タッチパネル上での、プレビュー表示された原稿画像を分割する操作を受け付けるステップと、プレビュー表示された原稿画像上での上記操作の位置に応じて、原稿画像を分割する処理を含んだ処理モードを設定するステップと、設定された処理モードで原稿画像に応じた画像データーの画像形成処理を実行するステップとを実行させる。設定するステップは、プレビュー表示された原稿画像上の、画像がしきい値より少なく含まれている領域に対して上記操作がなされた場合であって、かつ、上記操作によって分割された原稿画像の２つの領域の面積比が規定された値より小さい場合に、１ページ分の原稿画像を分割して分割後の原稿画像のそれぞれを１ページとして画像形成する処理モードであるブック分割モードを設定することを含む。
他の実施の形態に従うと、制御プログラムはタッチパネルを有する画像形成装置に含まれるコンピューターの制御プログラムである。この制御プログラムはコンピューターに、タッチパネルに処理対象の原稿画像をプレビュー表示するステップと、タッチパネル上での、プレビュー表示された原稿画像を分割する操作を受け付けるステップと、プレビュー表示された原稿画像上での上記操作の位置に応じて、原稿画像を分割する処理を含んだ処理モードを設定するステップと、設定された処理モードで原稿画像に応じた画像データーの画像形成処理を実行するステップとを実行させる。設定するステップは、プレビュー表示された原稿画像上の、画像がしきい値より少なく含まれている領域に対して上記操作がなされた場合、１ページ分の原稿画像を分割して分割後の原稿画像のそれぞれを１ページとして画像形成する処理モードであるブック分割モードを設定し、さらに、上記操作によって分割された原稿画像の２つの領域の面積比に応じて、分割後の原稿画像のそれぞれの倍率を決定することを含む。
【発明の効果】
【００２０】
この発明によると、直感的で容易な操作で、正確にモード設定を行なうことができる。そのため、モード設定の間違いによるミスコピーを防止することができる。
【図面の簡単な説明】
【００２１】
【図１】実施の形態にかかる画像処理装置としてのＭＦＰ（Multi-Functional Peripheral）のハードウェア構成の具体例を示す図である。
【図２】ＭＦＰの操作パネルの構成の具体例を示す図である。
【図３】ＭＦＰの機能構成の具体例を示すブロック図である。
【図４】ＭＦＰで、「切る」操作で自動的にモードを設定するための動作の流れを表わすフローチャートである。
【図５】図４のステップＳ１０５で、「切る」操作であるか否か、操作種別を判定するための動作の第１の例を示すフローチャートである。
【図６】ドラッグの具体例を表わした図である。
【図７】図４のステップＳ１０５で、「切る」操作であるか否か、操作種別を判定するための動作の第２の例を示すフローチャートである。
【図８】ドラッグの具体例を表わした図である。
【図９】ドラッグの具体例を表わした図である。
【図１０】ドラッグの具体例を表わした図である。
【図１１】表示画面の具体例を示す図である。
【図１２】ドラッグの具体例を表わした図である。
【図１３】図４のステップＳ１０９での判別の具体例を示した図である。
【図１４】原稿のプレビュー表示と該プレビュー表示に対する操作との具体例を表わした図である。
【図１５】プレビュー表示に対する操作の他の具体例を表わした図である。
【図１６】表示画面の具体例を示す図である。
【図１７】原稿のプレビュー表示と該プレビュー表示に対する操作との具体例を表わした図である。
【図１８】表示画面の具体例を示す図である。
【図１９】表示画面の具体例を示す図である。
【図２０】第２の変形例でのモード設定のための動作の流れを表わしたフローチャートである。
【図２１】図２０のステップＳ１１２での算出の具体例を表わした図である。
【図２２】第３の変形例でのモード設定のための動作の流れを表わしたフローチャートである。
【図２３】第３の変形例でのモード設定の具体例を表わした図である。
【図２４】第３の変形例でのモード設定の具体例を表わした図である。
【発明を実施するための形態】
【００２２】
以下に、図面を参照しつつ、本発明の実施の形態について説明する。以下の説明では、同一の部品および構成要素には同一の符号を付してある。それらの名称および機能も同じである。
【００２３】
＜装置構成＞
図１は、本実施の形態にかかる画像処理装置としてのＭＦＰ（Multi-Functional Peripheral）１００のハードウェア構成の具体例を示す図である。
【００２４】
画像処理装置は、ＭＦＰに限定されず、画像処理機能を有し、さらに、後述するタッチパネルを含んだ操作パネルを有する装置であれば、プリンターやファクシミリ送受信機やコピー機などのその他の装置であってもよい。ＭＦＰ１００は、これら機能を複合的に備えた画像処理装置である。
【００２５】
図１を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーを保存するためのメモリー１６とを含む。
【００２６】
図２は、操作パネル１５の構成の具体例を示す図である。
図２を参照して、操作パネル１５は、タッチパネル５１と操作キー群５２とを含む。タッチパネル５１は、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネル５１に操作画面を表示させる。
【００２７】
操作キー群５２には、テンキー５２１、ジョブのスタートを指示するためのスタートキー５２２、起動させるモードを選択するためのモード選択キー５２３が含まれる。
【００２８】
特定されたタッチパネル５１上での指示位置（タッチされた位置）や、押下されたキーを示す操作信号はＣＰＵ１０に入力される。ＣＰＵ１０は押下されたキー、または表示している操作画面と指示位置とから操作内容を特定し、それに基づいて処理を実行する。
【００２９】
＜動作概要＞
ＭＦＰ１００においては、「切る」操作によってモード設定を行なう。
【００３０】
ここで、「切る」操作とは、タッチパネル上での切るような操作を指し、具体的には、上から下、下から上、右から左、左から右など、タッチパネル上のタッチ位置を、タッチ状態を維持したまま直線または略直線に移動させ、該直線または該略直線をなぞるような操作を指す。すなわち、直線または略直線にドラッグする操作を指す。
【００３１】
ＭＦＰ１００は、操作パネル１５にプレビュー表示された原稿画像上での「切る」操作を検出することで、当該原稿画像を分割するモードを自動的に設定する。
【００３２】
なお、ＭＦＰには原稿画像の分割を伴う処理モードとして複数のモードがある場合が考えられる。一例として、ＭＦＰ１００は、「ブック分割」機能（または２ｉｎ１分割機能とも称される）と「拡大連写」機能とを有するものとする。「ブック分割」機能とは、１ページ分の画像データーを分割し、分割された画像データーそれぞれを１ページずつに画像形成する機能を指し、もとの原稿画像が２ｉｎ１で生成された画像であるときにそれぞれの画像を分割して１枚ずつに印刷するときに用いられる。「拡大連写」機能とは、原稿画像を一定の大きさに分割し拡大して、複数枚のページに分割して画像形成する機能を指す。
【００３３】
いずれのモードも、原稿画像を分割するものであり、原稿画像のプレビュー表示に対して分割する位置を「切る」操作によって指定することで、ＭＦＰ１００は、対応する機能を実行するためのモードを自動的に設定することができる。
【００３４】
しかしながら、プレビュー表示された原稿画像に対して単に「切る」操作をなされたのみであると、その操作が「ブック分割」機能における分割位置を指定するものか「拡大連写」機能における分割位置を指定するものかをＭＦＰ１００では特定し切れず、どちらの機能を実行するモードを設定するべきか特定されない。
【００３５】
ただ、上述のようこれら機能の差異によって、原稿画像を区切る位置が異なる。そこで、ＭＦＰ１００では、「切る」操作で指定される、区切る位置に応じて設定するモードを決定、該モードを自動的に設定する。
【００３６】
＜機能構成＞
図３は、上記動作を実現するための、ＭＦＰ１００の機能構成の具体例を示すブロック図である。図３に示される各機能は、ＣＰＵ１０がＲＯＭ１１に記憶されるプログラムを読み出してＲＡＭ１２上で実行することで、主にＣＰＵ１０上に形成される機能である。しかしながら、少なくとも一部の機能が図１に示されたハードウェア構成によって形成されてもよい。
【００３７】
図３を参照して、上記動作を実現するための機能としてＭＦＰ１００は、操作パネル１５に画像処理対象となる原稿画像をプレビュー表示する処理を行なうための表示処理部１０１と、タッチパネルである操作パネル１５上の操作入力を受け付けるための入力部１０２と、操作パネル１５上での操作位置やドラッグの軌跡と、操作パネル１５上の上記原稿画像の表示領域との関係から「切る」操作がなされたか否かを判定するための第１判定部１０３と、「切る」操作がなされた場合に、その操作位置と原稿画像のプレビュー表示との関係から「ブック分割」モードであるか「拡大連写」モードであるかを判定するための第２判定部１０４と、その判定結果に従ってモード設定を行なうための設定部１０５と、設定されたモードで上記指示入力に従って原稿画像に対応した画像データーに対して画像処理を実行し、処理後の画像データーをプリンター１４に渡してプリント動作を行なわせるための画像処理部１０６とを含む。
【００３８】
＜動作フロー＞
図４は、ＭＦＰ１００で、「切る」操作で自動的にモードを設定するための動作の流れを表わすフローチャートである。図４のフローチャートに示される動作は、ＣＰＵ１０がＲＯＭ１１に記憶されるプログラムを読み出してＲＡＭ１２上で実行することによって実現される。
【００３９】
図４を参照して、ステップＳ１０１でＣＰＵ１０１は、画像処理対象として指定された原稿画像を操作パネル１５の上記タッチパネル５１に表示する。
【００４０】
ＣＰＵ１０１は、操作パネル１５のタッチパネル５１上での操作入力を監視し、モード設定が可能な領域に対するタッチを受け付けると（ステップＳ１０３でＹＥＳ）、ステップＳ１０５で当該タッチ操作に基づいて操作の種別を判定する処理を行なう。ステップＳ１０５での判定については、さらにフローチャートを用いて詳しく説明する。
【００４１】
図５は、上記ステップＳ１０５で、「切る」操作であるか否か、操作種別を判定するための動作の第１の例を示すフローチャートである。
【００４２】
図５を参照して、ＣＰＵ１０１は操作パネル１５のタッチパネル５１上での操作入力を監視し、ドラッグ操作が検出されると、その軌跡とプレビュー表示された原稿画像とを比較する。その結果、ドラッグの軌跡がプレビュー表示された原稿画像のエッジ（端）を領域外から領域内に向かう方向で通過したことが検出されると（ステップＳ２０１でＹＥＳ）、ステップＳ２０３でＣＰＵ１０１は、ドラッグが通過した原稿画像のエッジ（端）を特定する情報（座標）を記憶する。
【００４３】
その後もＣＰＵ１０１はタッチパネル５１上での操作入力を監視し続け、当該ドラッグが継続している限り（ステップＳ２０５でＮＯ）、ステップＳ２０７でそのタッチ位置を特定する情報（座標）を取得してドラッグの軌跡とプレビュー表示された原稿画像の領域との比較する処理（Ｓ２２１）を繰り返す。
【００４４】
その結果、ドラッグの軌跡がプレビュー表示された原稿画像のエッジ（端）を再度通過したことが検出されると（ステップＳ２２１でＹＥＳ）、ステップＳ２２３でＣＰＵ１０１は、このドラッグ操作を「切る」操作であると判定する。
【００４５】
一方、ドラッグの軌跡がプレビュー表示された原稿画像のエッジ（端）を再度通過するよりも以前にドラッグが終了したこと、つまり、タッチパネル５１上でのタッチが解消されたことが検出されると（ステップＳ２０５でＹＥＳ）、ステップＳ２２５でＣＰＵ１０１は、このドラッグ操作を「切る」操作ではないと判定する。
【００４６】
図６は、判定方法の第１の例において「切る」操作ではないと判定される、ドラッグの具体例を表わした図である。すなわち、図６に示されたように、上記ステップＳ２０１でプレビュー表示された原稿画像のエッジ（端）を領域外から領域内に向かう方向でドラッグされたことが検出され、上記ステップＳ２０３でそのときのエッジの座標（ｘ０，ｙ０）が記憶された後、原稿画像の途中で指が離されると、ドラッグが、再度、エッジを通過するよりも以前に解消されることになる。この場合、上記ステップＳ２２５でＣＰＵ１０１は、検出したドラッグ操作を「切る」操作ではないと判定する。
【００４７】
図５に示された判定方法は、ドラッグが終了した時点で、その軌跡がプレビュー表示された原稿画像を通過するものであるか否かに応じて、「切る」操作であるか否かを判定するものである。しかしながら、「切る」操作であるか否かの判定は、図５に示された方法に限定されるものではない。他の例として、図７に、第２の例を示す。すなわち、図７は、上記ステップＳ１０５で、「切る」操作であるか否か、操作種別を判定するための動作の第２の例を示すフローチャートである。
【００４８】
図７を参照して、上記ステップＳ２０３で、ドラッグの軌跡がプレビュー表示された原稿画像のエッジ（端）を領域外から領域内に向かう方向で通過したことが検出された後、その軌跡を監視し続ける（ステップＳ２０５，Ｓ２０７）。
【００４９】
第２の例において、ＣＰＵ１０１は、ドラッグの軌跡を表わすタッチ位置とドラッグが通過した原稿画像のエッジ（端）の位置とを比較し、その縦方向（ｙ座標）および横方向（ｘ座標）の差が、予め規定されているしきい値以内であるか否かを判定する。すなわち、ドラッグの軌跡のｘ座標の振れ幅またはｙ座標の振れ幅の少なくとも一方でもしきい値を超えたら（ステップＳ２０９でＹＥＳ）、ステップＳ２２５でＣＰＵ１０１は「切る」操作ではないと判定する。
【００５０】
図８は、判定方法の第２の例において「切る」操作ではないと判定される、ドラッグの具体例を表わした図である。すなわち、図８に示されたように、上記ステップＳ２０３で記憶された、領域外から領域内に向かう方向で通過したプレビュー表示された原稿画像のエッジの座標（ｘ０，ｙ０）からのタッチ位置の差が、縦方向（ｙ座標）でも横方向（ｘ座標）でも予め規定されているしきい値以上である場合、上記ステップＳ２２５でＣＰＵ１０１は、検出したドラッグ操作を「切る」操作ではないと判定する。
【００５１】
これは、ドラッグの軌跡が、図９に表わされたような曲線を描くものであったり、図１０に表わされたようなプレビュー表示された画像の辺に対して傾いていたりする場合が該当する。
【００５２】
なお、このようなドラッグが検出されると、好ましくは、ＣＰＵ１０１は、図１１に示されたように、「切る」操作でないと判定されたことを操作パネル１５に表示する。図１１の例では、「切る」操作によって設定されるモード（ここでは「拡大連写」モード）が設定できない、というメッセージを表示することで、「切る」操作でないと判定されたことを提示している。
【００５３】
ドラッグの軌跡のｘ座標の振れ幅もｙ座標の振れ幅もしきい値を超えておらず（ステップＳ２０９でＮＯ）、かつ、ドラッグの軌跡がプレビュー表示された原稿画像のエッジ（端）を再度通過したことが検出されると（ステップＳ２２１でＹＥＳ）、ＣＰＵ１０１は、さらに、通過したエッジの位置を表わす座標と上記ステップＳ２０３で記憶した座標とを比較することで、その再度通過したエッジが、上記ステップＳ２０１で通過したことが検出されたエッジとは逆側のエッジであるか否かを確認する。その結果、上記ステップＳ２０１で通過したことが検出されたエッジとは逆側のエッジを通過したと確認されると（ステップＳ２２２でＹＥＳ）、ステップＳ２２３でＣＰＵ１０１は、このドラッグ操作を「切る」操作であると判定する。再度通過したエッジが上記ステップＳ２０１で通過したことが検出されたエッジと逆側のエッジではなかった場合には、ステップＳ２２５でＣＰＵ１０１は「切る」操作ではないと判定する。
【００５４】
図１２は、判定方法の第２の例において「切る」操作ではないと判定される、ドラッグの具体例を表わした図である。すなわち、図１２に示されたように、上記ステップＳ２２２で、再度通過したエッジが上記ステップＳ２０１で最初に通過したエッジと逆側のエッジとは異なるエッジであった場合、上記ステップＳ２２５でＣＰＵ１０１は、検出したドラッグ操作を「切る」操作ではないと判定する。
【００５５】
再び図４を参照して、上記図５や図７に示されたような判定を行なった結果、受け付けた操作が「切る」操作であった場合（ステップＳ１０７でＹＥＳ）、ステップＳ１０９でＣＰＵ１０１は、プレビュー表示の内容とドラッグの軌跡とを比較することで、当該「切る」操作によって指定された原稿画像を分割するためのライン（切り取り線と称する）周辺の画像の有無を判別する。
【００５６】
図１３は、上記ステップＳ１０９での判別の具体例を示した図である。図１３を参照して、「切る」操作がなされたと判定されると、最初にエッジを通過した位置（座標）を通過する直線を切り取り線と特定し、切り取り線を挟んで予め規定されたｎドットの領域内の、白以外のドットの割合を確認する。図１３の例では、原稿画像に対して横向きに切り取り線が設定されているため、その上下ｎドットの領域について、白以外のドット数を確認する。そして、その割合が予め設定されたしきい値（たとえば５％）未満である場合にＣＰＵ１０１は画像がないと判別し、該しきい値以上である場合には画像があると判別する。
【００５７】
上記ステップＳ１０９での判別の結果、切り取り線周辺に画像があると判別された場合（ステップＳ１１１でＹＥＳ）、ＣＰＵ１０１は設定するモードを「拡大連写」モードであると判定し、ステップＳ１１３で当該モードを設定する。
【００５８】
切り取り線周辺に画像がないと判別された場合（ステップＳ１１１でＮＯ）、ＣＰＵ１０１は設定するモードを「ブック分割」モード（２ｉｎ１分割モード）であると判定し、ステップＳ１１５で当該モードを設定する。
【００５９】
すなわち、図１４に示されるように、プレビュー表示上の画像のない部分に対して「切る」操作がなされた場合、ＣＰＵ１０１は設定するモードを「ブック分割」モード（２ｉｎ１分割モード）であると判定し、ステップＳ１１５で当該モードを設定する。
【００６０】
なお、図１４の例では、上下に２つの画像が並んだ原稿画像のプレビュー表示において、当該２つの画像の間の横向きに「切る」操作がなされた例が示されている。他の操作例として、たとえば図１５（Ａ）に示されたように、左右に２つの画像が並んだ原稿画像のプレビュー表示において、当該２つの画像の間の縦向きに「切る」操作がなされても、同様に「ブック分割」モード（２ｉｎ１分割モード）であると判定される。
【００６１】
なお、プレビュー表示において、必ずしも２つの画像が並んで表示されていなくてもよく、図１５（Ｂ）に示されたように、１つの画像中の白以外のドット（たとえば字や絵などの黒画素）のない部分に対して「切る」操作がなされても、同様に「ブック分割」モード（２ｉｎ１分割モード）であると判定される。また、必ずしも白以外のドットがまったくない部分でなくてもよく、図１５（Ｃ）に示されたように、たとえば区切り線などの、しきい値未満の以外の白以外のドットがある部分に対して「切る」操作がなされても、同様に「ブック分割」モード（２ｉｎ１分割モード）であると判定される。
【００６２】
図１４のように操作されることで、上記ステップＳ１１５で「ブック分割」モード（２ｉｎ１分割モード）が設定される。このとき、図１６に示されるように、当該モードでの処理結果が操作パネル１５に表示されてもよい。すなわち、図１４の例では、Ａ４サイズの原稿を縦向きに置いたプレビュー表示に対して、横方向に「切る」操作がなされているため、「ブック分割」モードで画像処理を行なうと、Ａ５サイズの用紙に原稿の上半分と下半分とそれぞれの画像が展開されることになる。そのため、図１６の画面では、Ａ５サイズの用紙に原稿の上半分である画像と、原稿の下半分である画像と、がそれぞれ展開された状態が表わされている。たとえばこの画面において図示しない実行ボタンなどが押下されることで、当該ＭＦＰ１００において「ブック分割」モードで印刷が行なわれてもよい。
【００６３】
また、図１７に示されるように、プレビュー表示上の画像のある部分に対して「切る」操作がなされた場合、ＣＰＵ１０１は設定するモードを「拡大連写」モードであると判定し、ステップＳ１１３で当該モードを設定する。
【００６４】
このとき、図１８に示されるように、当該モードでの処理結果が操作パネル１５に表示されてもよい。すなわち、図１７の例でたとえば「Ａ４」サイズの原稿を縦向きに置いたプレビュー表示に対して、横方向に「切る」操作がなされている場合、図１８に示されるように、「拡大連写」モードで画像処理を行なうと、当該画像が横向きに、縦方向に置いて横向きに２枚並べたＡ３の用紙に展開されることになる。そのため、図１８の画面では、縦向きのＡ３サイズの用紙に原稿の上半分である画像と、原稿画像の下半分である画像と、がそれぞれ、横向きにして展開された状態が表わされている。たとえばこの画面において図示しない実行ボタンなどが押下されることで、当該ＭＦＰ１００において「拡大連写」モードで印刷が行なわれてもよい。
【００６５】
＜変形例１＞
なお、以上の例では上記ステップＳ１０９〜Ｓ１１１の判定処理で「ブック分割」モードか「拡大連写」モードかが判定されるものとしている。しかしながら、図４において上記ステップＳ１０９〜Ｓ１１１の判定処理を行なうことなく、ユーザーからのモードの選択を受け付けるようにしてもよい。この場合、たとえば、図１９に示されるように、ＣＰＵ１０１は両モードでの処理結果を操作パネル１５に表示し、その中からの選択を受け付けるようにしてもよい。また、このとき、ユーザーが用紙サイズを設定するようにしてもよい。
【００６６】
このようにすることで、ユーザーは出来上がりを確認しながら選択することができるため、誤ったモードを選択することがない。
【００６７】
＜変形例２＞
以上の例では上記ステップＳ１０９〜Ｓ１１１の判定処理で原稿画像中の画像がない位置に「切る」操作がなされたと判定された場合に「ブック分割」モードを設定するものとしているが、画像がない位置であって、かつ、プレビュー表示された原稿画像のほぼ中央付近に対して「切る」操作がなされた場合に「ブック分割」モードを設定するようにしてもよい。
【００６８】
図２０は、第２の変形例でのモード設定のための動作の流れを表わしたフローチャートである。
【００６９】
図２０を参照して、第２の変形例では、上記ステップＳ１０９での判別の結果、切り取り線周辺に画像がないと判別された場合（ステップＳ１１１でＮＯ）、ＣＰＵ１０１はさらに、図２１に表わされたように、切り取り線の両側の画像の面積の比率を算出する。そして、その比率が予め規定されたしきい値以下である場合に（ステップＳ１１２でＹＥＳ）「ブック分割」モードを設定し、そうでない場合には、いずれのモードも設定しない。
【００７０】
ここでのしきい値としては、たとえば、大きい領域の面積の小さい領域の面積に対する比率を１２０％、などとすることができる。
【００７１】
通常、「ブック分割」を行なう場合には対象の画像を２等分するものであるため、「切る」操作で切り取り線を指定する場合には原稿画像のほぼ中央付近に対して「切る」操作がなされると考えられる。そのため、このように判定することで、ほぼ中央付近に対して「切る」操作をされたときに「ブック分割」モードが設定されることになり、誤ったモードが選択されることがない。
【００７２】
＜変形例３＞
なお、上記第２の変形例では、原稿画像をほぼ等分に分割する切り取り線が指定された場合に「ブック分割」モードが設定されるものとしたが、「ブック分割」モードにおいて、切り取り線で分割された画像の比率に応じて分割後のそれぞれの画像の倍率を設定するようにしてもよい。
【００７３】
図２２は、第３の変形例でのモード設定のための動作の流れを表わしたフローチャートである。
【００７４】
図２２を参照して、第３の変形例では、上記ステップＳ１１５で「ブック分割」モードを設定した後、ＣＰＵ１０１はさらに、切り取り線の両側の画像の面積の比率を算出する。そして、その比率が予め規定されたしきい値以下である場合には（ステップＳ１１７でＹＥＳ）、ステップＳ１２１で予め原稿サイズから規定される用紙サイズに応じて定まる定型倍率を、原稿画像に対する倍率として設定する。
【００７５】
一方、上記比率が予め規定されたしきい値よりも大きい場合には（ステップＳ１１７でＮＯ）、ステップＳ１２３で分割後の原稿画像がそれぞれの用紙のサイズに収まるように、分割された画像の面積と予め原稿サイズから規定される用紙サイズとに応じて原稿画像に対する倍率を設定する。
【００７６】
図２３の例の場合、対象の画像がほぼ等分に分割されている。そのため、分割後の画像の面積比がたとえば１２０％等であるしきい値未満となっている。原稿サイズをＡ４とすると、用紙サイズはＡ５となるため、このような分割の場合、原稿画像に対する倍率として、これらサイズから規定される定型倍率である１．４１４倍が設定される。
【００７７】
一方、図２４の例の場合、対象の画像の偏った位置で分割されている。そのため、分割後の大きい領域の面積の小さい領域の面積に対する比率は、たとえば１２０％等であるしきい値以上となる。このような分割の場合、分割後のそれぞれの画像に対して、原稿サイズから規定される用紙サイズに収まる倍率を設定し、拡大または縮小処理を行なう。
【００７８】
このようにすることで、直感的で容易な操作で美しい仕上がりの「ブック分割」を行なうことができる。
【００７９】
＜実施の形態の効果＞
ＭＦＰ１００において以上の動作が行なわれることで、プレビュー画面において、「切る」という直感的で容易な操作によって、「ブック分割」や「拡大速写」などの、分割を伴う操作モードを設定することができる。また、分割を伴う操作モードが「ブック分割」や「拡大速写」など複数ある場合でも、当該操作部分に画像がある／なしで自動的にモードが設定される。そのため、モード設定の間違いよるミスコピーを防止することができる。
【００８０】
さらに、上述の動作をＭＦＰ１００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８１】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８３】
提供されるプログラム製品は、ハードディスクなどのプログラム格納部にインストールされて実行される。なお、プログラム製品は、プログラム自体と、プログラムが記録された記録媒体とを含む。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
１０  ＣＰＵ、１１  ＲＯＭ、１２  ＲＡＭ、１３  スキャナー、１４  プリンター、１５  操作パネル、１６  メモリー、５１  タッチパネル、５２  操作キー群、１００  ＭＦＰ、１０１  表示処理部、１０２  入力部、１０３  第１判定部、１０４  第２判定部、１０５  設定部、１０６  画像処理部、５２１  テンキー、５２２  スタートキー、５２３  モード選択キー。
【図１】
0005790225.tif 000002
【図２】
0005790225.tif 000003
【図３】
0005790225.tif 000004
【図４】
0005790225.tif 000005
【図５】
0005790225.tif 000006
【図６】
0005790225.tif 000007
【図７】
0005790225.tif 000008
【図８】
0005790225.tif 000009
【図９】
0005790225.tif 000010
【図１０】
0005790225.tif 000011
【図１１】
0005790225.tif 000012
【図１２】
0005790225.tif 000013
【図１３】
0005790225.tif 000014
【図１４】
0005790225.tif 000015
【図１５】
0005790225.tif 000016
【図１６】
0005790225.tif 000017
【図１７】
0005790225.tif 000018
【図１８】
0005790225.tif 000019
【図１９】
0005790225.tif 000020
【図２０】
0005790225.tif 000021
【図２１】
0005790225.tif 000022
【図２２】
0005790225.tif 000023
【図２３】
0005790225.tif 000024
【図２４】
0005790225.tif 000025